【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
複数のアクティビティを有するスポーツイベントの間、表示デバイスの可視エリアを最適化するためのスポーツイベント表示システムであって、各アクティビティは、結果を最終的に有し、前記スポーツイベント表示システムは、
前記スポーツイベントに関連するイベント情報を含む入力情報を受信するための入力部と、
選択インディシアを表示するように構成されているディスプレイであって、前記選択インディシアは、前記スポーツイベントの前記複数のアクティビティのうちの少なくとも１つの結果をユーザが予測することを可能にするように構成されており、前記入力情報は、前記スポーツイベントの所与のアクティビティの結果を予測する前記選択インディシアのユーザ選択をも含み、前記所与のアクティビティは、持続時間を有する、ディスプレイと、
前記ディスプレイと動作可能に結合されているメッセージコントローラと
を備え、
前記メッセージコントローラは、前記所与のアクティビティの間、かつ、前記入力部が前記ユーザ選択を受信することに応答して、メッセージインディシアの表示を制御するように構成されており、前記メッセージコントローラは、ある期間にわたって、前記選択インディシアの少なくとも一部を覆うことを前記メッセージインディシアに行わせ、前記期間は、前記ユーザ選択を受信した後、前記所与のアクティビティの残りの持続時間の関数であり、
前記メッセージコントローラは、前記選択インディシアの前記少なくとも一部を覆って前記メッセージインディシアをもはや表示しないように、前記所与のアクティビティの前記持続時間の関数として前記ディスプレイを制御するようにさらに構成されている、スポーツイベント表示システム。
【請求項２】
前記表示デバイスは、前景および背景を有し、前記メッセージコントローラは、前記選択インディシアの前記少なくとも一部を覆って表示されるとき、前記表示デバイスの前記前景において前記メッセージインディシアを表示する、請求項１に記載のスポーツイベント表示システム。
【請求項３】
前記メッセージコントローラは、前記ユーザ選択を受信する前および前記持続時間の後、前記背景において前記メッセージインディシアを表示するように構成されている、請求項２に記載のスポーツイベント表示システム。
【請求項４】
前記スポーツイベントは、フットボールの試合または野球の試合である、請求項１に記載のスポーツイベント表示システム。
【請求項５】
前記スポーツイベントは、野球の試合であり、前記所与のアクティビティは、前記野球の試合の選手の打席である、請求項１に記載のスポーツイベント表示システム。
【請求項６】
前記コントローラは、前記メッセージインディシアが前記選択インディシアの前記少なくとも一部を覆うように表示されているとき、前記イベントユーザインターフェースの少なくとも一部をロックし、前記ユーザは、前記メッセージインディシアを表示から除去するための入力手段を有していない、請求項１に記載のスポーツイベント表示システム。
【請求項７】
前記イベント情報は、ライブ受信されるか、または、ライブから約４５秒以内だけ遅れている、請求項１に記載のスポーツイベント表示システム。
【請求項８】
前記メッセージインディシアは、前記ユーザ選択を受信した後の残っている前記所与のアクティビティの残りの持続時間の全体にわたって、前記選択インディシアの前記少なくとも一部を覆う、請求項１に記載のスポーツイベント表示システム。
【請求項９】
前記表示デバイスは、複数の表示領域を有し、前記メッセージインディシアは、前記選択インディシアの前記少なくとも一部以外の表示領域を覆わない、請求項１に記載のスポーツイベント表示システム。
【請求項１０】
前記表示デバイスは、スマートフォンまたはタブレットを備えている、請求項１に記載のスポーツイベント表示システム。
【請求項１１】
複数のアクティビティを有するスポーツイベントの間、表示デバイスの可視エリアを最適化するための方法であって、各アクティビティは、結果を最終的に有し、前記方法は、
前記スポーツイベントに関連するイベント情報を受信することと、
選択インディシアを前記表示デバイス上に表示することであって、前記選択インディシアは、前記イベントの前記複数のアクティビティのうちの少なくとも１つの結果をユーザが予測することを可能にするように構成されている、ことと、
前記スポーツイベントの所与のアクティビティの結果を予測する前記選択インディシアのユーザ選択を受信することであって、前記所与のアクティビティは、持続時間を有する、ことと、
前記ユーザ選択を受信することに応答して、前記所与のアクティビティの間、ある期間にわたって、前記選択インディシアの少なくとも一部を覆うメッセージインディシアを前記表示デバイス上に表示することであって、前記期間は、前記ユーザ選択を受信した後の前記所与のアクティビティの残りの持続時間の関数である、ことと、
前記選択インディシアの前記少なくとも一部を覆って前記メッセージインディシアをもはや表示しないように、前記所与のアクティビティの前記持続時間の関数として前記ディスプレイを制御することと
含む、方法。
【請求項１２】
前記表示デバイスは、前景および背景を有し、前記メッセージインディシアは、前記選択インディシアの前記少なくとも一部を覆って表示されるとき、前記表示デバイスの前記前景の中にある、請求項１１に記載の方法。
【請求項１３】
前記ユーザ選択を受信する前に、前記背景において前記メッセージインディシアを表示することをさらに含む、請求項１２に記載の方法。
【請求項１４】
前記スポーツイベントは、フットボールの試合または野球の試合である、請求項１１に記載の方法。
【請求項１５】
前記スポーツイベントは、野球の試合であり、前前記所与のアクティビティは、前記野球の試合の選手の打席である、請求項１１に記載の方法。
【請求項１６】
前記メッセージインディシアが前記選択インディシアの前記少なくとも一部を覆うように表示されているとき、前記ユーザは、前記メッセージインディシアを表示から除去するためのインターフェースを有していない、請求項１１に記載の方法。
【請求項１７】
前記イベント情報は、ライブ受信されるか、または、ライブから約４５秒以内だけ遅れている、請求項１１に記載の方法。
【請求項１８】
前記メッセージインディシアは、前記ユーザ選択を受信した後の残っている前記所与のアクティビティの残りの持続時間の全体にわたって、前記選択インディシアの前記少なくとも一部を覆う、請求項１１に記載の方法。
【請求項１９】
前記表示デバイスは、複数の表示領域を有し、前記メッセージインディシアは、前記選択インディシアの前記少なくとも一部以外の表示領域を覆わない、請求項１１に記載の方法。
【請求項２０】
前記表示デバイスは、スマートフォンまたはタブレットを備えている、請求項１１に記載の方法。
【請求項２１】
複数のアクティビティを有するスポーツイベントの間、表示デバイスの可視エリアを最適化するためのコンピュータシステム上で使用されるコンピュータプログラム製品であって、各アクティビティは、結果を最終的に有し、前記コンピュータプログラム製品は、コンピュータ読み取り可能なプログラムコードを有する有形かつ非一過性のコンピュータ使用可能な媒体を備え、前記コンピュータ読み取り可能なプログラムコードは、
前記スポーツイベントに関連するイベント情報を受信するためのプログラムコードと、
イベント情報を受信しているとき、選択インディシアを前記表示デバイス上に表示するためのプログラムコードであって、前記選択インディシアは、前記イベントの前記複数のアクティビティのうちの少なくとも１つの結果をユーザが予測することを可能にするように構成されている、プログラムコードと、
前記スポーツイベントの所与のアクティビティの結果を予測する前記選択インディシアのユーザ選択を受信するためのプログラムコードであって、前記所与のアクティビティは、持続時間を有する、プログラムコードと、
前記ユーザ選択を検出し、それに応答して、前記所与のアクティビティの間、ある期間にわたって、前記選択インディシアの少なくとも一部を覆ってメッセージインディシアをリアルタイムで前記表示デバイス上に表示するためのプログラムコードであって、前記期間は、前記ユーザ選択を受信した後の前記所与のアクティビティの残りの持続時間の関数である、プログラムコードと、
前記選択インディシアの前記少なくとも一部を覆って前記メッセージインディシアをもはや表示しないように、前記所与のアクティビティの持続時間の関数として前記ディスプレイを制御するためのプログラムコードと
を含む、コンピュータプログラム製品。
【請求項２２】
前記表示デバイスは、前景および背景を有し、前記メッセージインディシアは、前記選択インディシアの前記少なくとも一部を覆って表示されるとき、前記表示デバイスの前記前景の中にある、請求項２１に記載のコンピュータプログラム製品。
【請求項２３】
前記ユーザ選択を受信する前に、前記背景において前記メッセージインディシアを表示するためのプログラムコードをさらに含む、請求項２２に記載のコンピュータプログラム製品。
【請求項２４】
前記スポーツイベントは、フットボールの試合または野球の試合である、請求項２１に記載のコンピュータプログラム製品。
【請求項２５】
前記ユーザが前記メッセージインディシアを前記表示から除去することを防止するためのプログラムコードをさらに含む、請求項２１に記載のコンピュータプログラム製品。
【請求項２６】
前記メッセージインディシアは、前記ユーザ選択を受信した後の残っている前記所与のアクティビティの残りの持続時間の全体にわたって、前記選択インディシアの前記少なくとも一部を覆う、請求項２１に記載のコンピュータプログラム製品。
【請求項２７】
前記表示デバイスは、複数の表示領域を有し、前記メッセージインディシアは、前記選択インディシアの前記少なくとも一部以外の表示領域を覆わない、請求項２１に記載のコンピュータプログラム製品。